(57)【要約】【課  題】プールを長さ方向或いは幅方向に仕切ってプールの長さ或いは幅を変えることができる可動壁の動きをスムースかつ確実に行えるようにすると共に、可動壁をプールサイドやプール側壁にゴムタイヤで転動させる場合に生じがちな轍による汚れを生じさせないようにする。【解決手段】可動壁１２を水面に浮かばせて、その上に１０人程度の人が載っても沈むことのない程度の浮力を持たせ、前後側面を移動時の水の抵抗を少なくするため格子状にする。可動壁１２の左右には、モータ１４によって回転駆動されるスクリュー１３を設け、スクリュー１３を推進力として可動壁１２をプール１１に沿い移動させる。【選択図】  図２
2004270287.tif 000002
【特許請求の範囲】
【請求項１】
プールに移動可能に設置され、プールを仕切る可動壁であって、可動壁に浮力を持たせて水面に浮上させると共に、可動壁をプールに沿って移動させる推進手段を設けたことを特徴とするプールの可動壁。
【請求項２】
プールを仕切る可動壁であって、昇降手段によって昇降可能に支持されることを特徴とするプールの可動壁。
【請求項３】
プール底に降下した可動壁が納まる凹所を設けたことを特徴とする請求項２記載のプールの可動壁。
【請求項４】
可動壁側端面にストッパーを突設する一方、プール側壁に上記ストッパーに係止して可動壁の上昇を阻止する係止部を設けたことを特徴とする請求項２又は３記載のプールの可動壁。
【発明の詳細な説明】
【０００１】
【発明が属する技術分野】
本発明は、プールを仕切って図６に示すように、プール１の長さＬを任意の長さｌに、例えば５０ｍ長さのプールを２５ｍ長さのプールに仕切ったり、或いは図７に示すようにプール幅Ｗを任意の幅ｗに仕切ることができる可動壁に関する。
【０００２】
【従来技術】
この種の可動壁として図８に示すように、プールサイド２を転動するゴムタイヤ３と、モータ４によって回転駆動され、プール側壁５を転動するゴムタイヤ６を有し、プールサイド間に横架されてプールサイド２に沿い移動できるようにしたものが知られる。
【０００３】
【発明が解決しようとする課題】
図８に示すような従来の可動壁では、可動壁を移動する際、ゴムタイヤがプール側壁をスリップし、可動壁の移動を困難にする。プールのゴムタイヤ転動面がタイル製であったり、金属製であったりして滑り易い面である場合にはことにそうである。またプールサイドやプール側壁のタイヤ転動面には、ゴムタイヤの轍による汚れを生じ易い。
【０００４】
本発明は、上記の問題を解消すること、すなわち移動が比較的容易かつ確実で、しかもプール側壁やプールサイドに轍による汚れを生じさせない、プールの可動壁を提供することを目的とする。
【０００５】
【課題の解決手段】
請求項１に係わる発明は、プールに移動可能に設置され、プールを仕切る可動壁であって、可動壁に浮力を持たせて水面に浮上させると共に、可動壁をプールに沿って移動させる推進手段を設けたことを特徴とする。
【０００６】
本発明の可動壁は、プールへの支持手段がなく、水面に浮上し、推進手段によって移動する。
ここで推進手段とは、例えばスクリューによるもの、ジェットによるものなど船舶に設けられるタイプのもの、図１に示すような螺旋状をなすもの等を例示することができる。
【０００７】
請求項２に係わる発明は、プールを仕切る可動壁であって、昇降手段によって昇降可能に支持されることを特徴とする。
本発明の可動壁によると、使用しないときには沈められ、邪魔にならないようにされる。
【０００８】
本発明で用いる昇降手段としては、例えば水圧シリンダー、可動壁に浮力を持たせると共に、可動壁に連結されるワイヤー、ロープ、チェーン等（以下、単に「ワイヤー等」という）と、ワイヤー等を牽引する例えば油圧シリンダー、巻取り装置等の牽引装置等を例示することができる。
【０００９】
請求項３に係わる発明は、請求項２に係わる発明において、プール底に降下した可動壁が納まる凹所を設けたことを特徴とする。
本発明によると、可動壁を凹所に納めることにより、水泳時はもとより、プール内を水中歩行する際の邪魔にならないようにすることができる。
【００１０】
請求項４に係わる発明は、請求項２又は３に係わる発明において、可動壁側端面にストッパーを突設する一方、プール側壁に上記ストッパーに係止して可動壁の上昇を阻止する係止部を設けたことを特徴とする。
【００１１】
本発明によると、可動壁の上昇は、ストッパーが係止部に係止するまで行われ、係止部に係止することにより浮上位置に位置決めされる。
ここで係止部としては、例えばプール側壁に形成され、ストッパーが係止する段を例示することができる。
【００１２】
【発明の実施の形態】
図２に示すプール１１は、可動壁１２を水面に浮かばせてその上に１０人程度の人が載っても沈むことがない程度の浮力を持たせ、前後側面の所要部又は全面は図示していないが、格子状にして移動時の水の抵抗を極力少なくし、左右両側に推進手段として図１に示す螺旋状のスクリュー１３と該スクリュー１３を回転駆動するモータ１４を設け、両モータ１４を同期して回転駆動させるようにしたものである。
【００１３】
本実施例の可動壁１２によると、スクリュー１３を回転駆動することにより、これを推進力として可動壁１２が図２の矢印方向に前後に移動し、プール１１の長さを任意の長さに仕切ることができるようになっている。
別の実施例では、推進手段としてスクリュー１３に変え、船舶に用いられるプロペラ状のスクリュー、ジェットポンプ等が用いられる。
【００１４】
図３及び図４に示すプール１６は、プール底に凹所１７を形成して凹所１７内に可動壁１８が降下して納まるようにすると共に、可動壁１８は可動壁１２と同様の浮力を持たせて、水面に浮上したときには１０人程度の人が載っても沈むことがないようにし、左右両側の下面には、後述の油圧シリンダー２２と共に牽引装置を構成するワイヤー１９を連結して、該ワイヤー１９を凹所内に設置したシーブ２１を介してプール外に導出し、油圧シリンダー２２のシーブ２０に掛けて、油圧シリンダー２２で牽引し、可動壁１８を降下させて図３の一点鎖線で示すように、凹所内に納めることができるようにしてある。そして左右の側壁には、図５に示すように、側方にストッパー２３が突設され、プール側壁２４に形成される係止部としての段２５に係止することにより、浮上位置に位置決めできるようになっている。
【００１５】
本実施例の可動壁によると、使用しないときには凹所内に沈めて納めることができるため、水泳時や水中を歩行する際の邪魔になることがない。
別の実施例では、油圧シリンダーに代えてワイヤー１９を捲取り、或いは捲戻す巻取機が用いられ、更に別の実施例では、ワイヤー１９や油圧シリンダー２２に代えて凹所内に設置され、可動壁１８を昇降させる水圧シリンダーが用いられる。
【００１６】
上記各実施例では、可動壁１２、１８はプール１１、１６を長さ方向に仕切って、例えば５０ｍ長さのプールを２５ｍと２３ｍの長さのプールにする（可動壁１２、１８の幅が２ｍである場合）ことができるようになっているが、別の実施例ではプール１１、１６を幅方向に仕切って、例えば２５ｍ幅のプールを１２ｍと１１ｍ幅のプールにできるようにされる（この場合も可動壁１２、１８の幅は２ｍとする）。
【００１７】
【発明の効果】
請求項１及び２に係わる発明の可動壁によると、プールサイドやプール側壁に支持される訳ではなく、プールサイドやプール側壁を転動する転動手段を有しないから、転動手段によるスリップを生じることがなく、可動壁の移動が比較的スムーズで確実に行えると共に、プールサイドやプール側壁に轍による汚れを生ずることもない。請求項２に係わる発明においては更に、不使用時には水面下に沈めることにより、邪魔にならないようにすることができる。
【００１８】
請求項３に係わる発明の可動壁によると、不使用時には沈めてプール底の凹所に納めることができるため、水泳時や水中を歩行するときの邪魔となることがない。
請求項４に係わる発明の可動壁によると、所定位置に確実に位置決めすることができる。
【図面の簡単な説明】
【図１】推進手段の一例を示す図。
【図２】本発明に係わる可動壁を備えたプールの要部の平面図。
【図３】本発明に係わる可動壁を備えたプールの要部の断面図。
【図４】図３のＡ−Ａ線断面図。
【図５】可動壁を位置決めするストッパーを示す図。
【図６】可動壁を備えたプールの平面図。
【図７】別の態様の可動壁を備えたプールの平面図。
【図８】従来の可動壁の正面図。
【符号の説明】
１、１１、１６・・プール
１２、１８・・可動壁
１３・・スクリュー
１４・・モータ
１７・・凹所
１９・・ワイヤー
２０、２１・・シーブ
２２・・油圧シリンダー
２３・・ストッパー
２４・・プール側壁
２５・・段
【図１】
2004270287.tif 000003
【図２】
2004270287.tif 000004
【図３】
2004270287.tif 000005
【図４】
2004270287.tif 000006
【図５】
2004270287.tif 000007
【図６】
2004270287.tif 000008
【図７】
2004270287.tif 000009
【図８】
2004270287.tif 000010